【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
複数の端子部を電気的に接続する通電部品であって、
複数の前記端子部にそれぞれ接続状態で締結される複数の接続部を有する通電部材と、
前記通電部材を収容する絶縁性のケースと、を含み、
複数の前記端子部のうちの感電対策が要求される少なくとも一つが端子部開口窓を有する絶縁性の端子部カバーで覆われており、
前記端子部カバーにより覆われた前記端子部に締結される前記接続部には、前記端子部開口窓を挿通して前記端子部に接続される接続部側中継部が設けられており、
前記端子部開口窓は、前記接続部側中継部の挿通を許容しつつ作業者の指の挿通を阻止する大きさを有している、通電部品。
【請求項２】
前記接続部側中継部が設けられた前記接続部において、前記接続部が前記ケース内に収容されて前記ケースで囲われている請求項１に記載の通電部品。
【請求項３】
前記通電部材がバスバーによって構成され、前記バスバーの長手方向両端部に二つの前記接続部が設けられており、前記バスバーの板厚方向に屈曲されたクランク状屈曲部が設けられている請求項１または請求項２に記載の通電部品。
【請求項４】
前記端子部と前記接続部がボルトを用いて締結されるようになっており、
前記接続部と前記接続部側中継部に設けられたボルト挿通孔が、所定方向への前記ボルトの変位を許容する第一スペースを有し、
前記ケースは、前記所定方向への前記ボルトと前記接続部側中継部の変位を許容する第二スペースを有する請求項１から請求項３のいずれか１項に記載の通電部品。
【請求項５】
前記ケースには前記ボルトが収容されており、前記ケースの上面には絶縁被覆された前記ボルトの頭部を露出する上面開口部が設けられ、前記ケースの下面には、前記ボルトのねじ部と前記接続部側中継部を露出する下面開口部が設けられている請求項４に記載の通電部品。
【請求項６】
前記ケースには前記ボルトが収容されており、前記ケースの上面には前記ボルトの頭部を露出する上面開口部が設けられており、
前記ボルトの前記頭部の上面には、締結工具の先端部が嵌合する工具嵌合穴が開口して形成されており、
平面視において、前記上面開口部を介して前記工具嵌合穴が外部に露出され、前記頭部の外周部分は前記ケースの前記上面によって覆われている請求項４に記載の通電部品。
【請求項７】
前記ケースの前記上面において、前記ボルトの前記頭部の前記外周部分を覆う部位が、前記頭部から上方に離隔している請求項６に記載の通電部品。
【請求項８】
前記端子部と前記接続部がボルトを用いて締結されるようになっており、
前記ケースには、前記接続部側中継部と前記ボルトのねじ部の周囲にガイド壁が設けられており、前記ガイド壁は前記接続部側中継部より高い壁である請求項１から請求項７のいずれか１項に記載の通電部品。
【請求項９】
前記ガイド壁が、前記接続部の近傍に設けられており、前記ガイド壁が、前記端子部側に設けられた部材に当接することにより変位が抑制されるようになっている請求項８に記載の通電部品。
【請求項１０】
前記接続部側中継部と前記通電部材が一体的に形成されている請求項１から請求項９のいずれか１項に記載の通電部品。
【請求項１１】
前記接続部側中継部と前記通電部材が別体に形成されており、前記ケースに前記接続部側中継部が保持されている請求項１から請求項９のいずれか１項に記載の通電部品。
【請求項１２】
前記接続部側中継部が、前記ケースの外部に突出する筒部と、前記筒部の一端部から外周側に突出するフランジ部とを有し、
前記ケースに貫設された開口穴に、前記接続部側中継部の前記筒部が挿通配置され、前記開口穴の周縁に前記接続部側中継部の前記フランジ部が前記ケースの内側から係合することにより、前記接続部側中継部が前記ケースに保持されている請求項１１に記載の通電部品。
【請求項１３】
前記接続部側中継部が、前記ケースに貫設された開口穴に圧入されることにより、前記ケースに保持されている請求項１１に記載の通電部品。
【請求項１４】
前記接続部に、複数の前記接続部側中継部が相互に離隔して突設されている請求項１から請求項１３のいずれか１項に記載の通電部品。
【請求項１５】
前記端子部と前記接続部がボルトを用いて締結されるようになっており、
前記端子部のボルト挿通孔の周囲に前記端子部開口窓が環状に形成されており、
前記接続部のボルト挿通孔の周囲に環状の前記接続部側中継部が配置されている請求項１から請求項１４のいずれか１項に記載の通電部品。
【請求項１６】
前記複数の接続部の他の一つを覆う絶縁性の接続部カバーと、
前記接続部カバーに設けられて前記他の一つの接続部を部分的に露出させる接続部開口窓を有し、
前記接続部カバーに覆われた前記他の一つの接続部に締結される前記複数の端子部の他の一つに端子部側中継部が設けられており、該端子部側中継部が前記接続部開口窓を挿通して前記他の一つの接続部に接続される請求項１から請求項１５のいずれか１項に記載の通電部品。
【請求項１７】
前記他の一つの端子部と前記他の一つの接続部がボルトとナットを用いて締結されるようになっており、
前記他の一つの接続部側では、前記ケースに前記ナットが収容され、前記ケースの上面に設けられた上面開口部に、前記ナットと該ナットに締結された前記ボルトの先端部が絶縁被覆された状態で位置しており、前記ケースの底壁により前記接続部カバーが構成され、前記底壁を貫設して前記接続部開口窓が設けられており、
前記他の一つの端子部に、前記ボルトと前記端子部側中継部が配置されている請求項１６に記載の通電部品。
【請求項１８】
前記ケースには、前記接続部と前記端子部の接続を阻止する接続阻止部が設けられており、該接続阻止部が前記接続部と前記端子部の接続を許容する許容位置へ変位可能とされている請求項１から請求項１７のいずれか１項に記載の通電部品。
【請求項１９】
前記接続阻止部が、前記許容位置へ変位された際に、前記端子部側の被嵌合部に嵌合する嵌合部を有している請求項１８に記載の通電部品。
【請求項２０】
前記嵌合部と前記被嵌合部が、前記端子部と前記接続部の正規嵌合位置において嵌合するようになっている請求項１９に記載の通電部品。
【請求項２１】
前記ケースには、前記接続部を前記端子部に締結するためのボルトが収容されており、前記ケースの上面には絶縁被覆された前記ボルトの頭部を露出する上面開口部が設けられ、前記ケースの下面には、前記ボルトのねじ部と前記接続部側中継部を露出する下面開口部が設けられており、
前記接続阻止部が、前記下面開口部を蓋覆して、前記ボルトの前記ねじ部と前記接続部側中継部を覆う阻止位置と、前記下面開口部を開口して前記ボルトの前記ねじ部と前記接続部側中継部の前記端子部への接続を許容する前記許容位置とに変位可能である請求項１８から請求項２０のいずれか１項に記載の通電部品。
【請求項２２】
前記ケースが、前記通電部材の長手方向中間部分を被覆する絶縁被覆と、前記通電部材の長手方向両端部に設けられて前記絶縁被覆から露出する二つの前記接続部の少なくとも一方を覆う端部ケースを含んで構成されており、
前記端部ケースが前記通電部材に対して前記長手方向に変位可能に組み付けられており、
前記接続部と前記端子部がボルトとナットを用いて締結されるようになっており、前記接続部に貫設されたボルト挿通孔が前記長手方向での前記通電部材に対する前記端部ケースの変位を許容する変位許容隙間を有して設けられている請求項１から請求項２１のいずれか１項に記載の通電部品。
【請求項２３】
複数の端子部を電気的に接続する通電部品であって、
複数の前記端子部にそれぞれ接続状態で締結される複数の接続部を有する通電部材と、
前記通電部材を収容する絶縁性のケースと、
複数の前記接続部のうちの感電対策が要求される少なくとも一つの前記接続部を覆う絶縁性の接続部カバーと、
前記接続部カバーに設けられて前記接続部カバーに覆われた前記接続部を部分的に露出させる接続部開口窓と、を含み、
前記接続部カバーに覆われた前記接続部に締結される前記端子部が端子部側中継部を含んでおり、
前記端子部側中継部が前記接続部開口窓を挿通して前記接続部に接続されるようになっており、前記接続部開口窓は、前記端子部側中継部の挿通を許容しつつ作業者の指の挿通を阻止する大きさを有している、通電部品。
【請求項２４】
請求項１から請求項２２のいずれか１項に記載の通電部品の前記接続部が接続される前記端子部を備えたジャンクションボックスであって、
感電対策が要求される前記端子部には、前記端子部カバーが設けられており、前記接続部側中継部が設けられた前記通電部材の前記接続部と接続されるようになっているジャンクションボックス。
【請求項２５】
前記端子部と前記接続部がボルトを用いて締結されるようになっており、
前記端子部カバーが、前記端子部に設けられたボルト挿通孔の内周面を覆う内周部を含んでいる請求項２４に記載のジャンクションボックス。
【請求項２６】
前記端子部カバーの内周部が、前記端子部カバーの他の部位と一体化されている請求項２５に記載のジャンクションボックス。
【請求項２７】
前記端子部の前記ボルト挿通孔の周囲に前記端子部開口窓が環状に形成されており、
前記接続部のボルト挿通孔の周囲に環状の前記接続部側中継部が配置されており、
前記環状の前記端子部開口窓が、前記端子部カバーの前記内周部と、該内周部から径方向外方に離隔して設けられた前記端子部カバーの外周部との間に区画されており、
前記外周部によって前記ボルト挿通孔の周囲において前記端子部の表面が覆われている請求項２５または請求項２６に記載のジャンクションボックス。
【請求項２８】
前記端子部と前記接続部がボルトを用いて締結されるようになっており、
前記端子部開口窓が、前記端子部のボルト挿通孔とその周辺部を露出させる大きさで開口しており、前記端子部開口窓の周縁部に、前記接続部側中継部に向かって突出する突部が設けられている請求項２４から請求項２７のいずれか１項に記載のジャンクションボックス。
【請求項２９】
前記端子部と前記接続部が前記ボルトを用いて締結された状態で、前記突部が前記通電部品から離隔している請求項２８に記載のジャンクションボックス。
【請求項３０】
前記端子部開口窓の周縁部が撓み変形可能であり、前記接続部側中継部により前記周縁部が押圧されて前記端子部開口窓が拡開されることにより、前記接続部側中継部の前記端子部開口窓への挿通が許容されている請求項２４から請求項２９のいずれか１項に記載のジャンクションボックス。
【請求項３１】
請求項１から請求項２２のいずれか１項に記載の通電部品の前記接続部が接続される前記端子部を備えたバスバーモジュールであって、
感電対策が要求される前記端子部には、前記端子部カバーが設けられており、前記接続部側中継部が設けられた前記通電部材の前記接続部と接続されるようになっているバスバーモジュール。
【請求項３２】
請求項１から請求項２２のいずれか１項に記載の通電部品の前記接続部が接続される前記端子部を備えた電池モジュールであって、
感電対策が要求される前記端子部には、前記端子部カバーが設けられており、前記接続部側中継部が設けられた前記通電部材の前記接続部と接続されるようになっている電池モジュール。
【請求項３３】
請求項２３に記載の通電部品の前記接続部が接続される前記端子部を備えたジャンクションボックスであって、
前記接続部カバーに覆われた前記接続部と接続される前記端子部には、前記端子部側中継部が設けられているジャンクションボックス。
【請求項３４】
請求項２３に記載の通電部品の前記接続部が接続される前記端子部を備えたバスバーモジュールであって、
前記接続部カバーに覆われた前記接続部と接続される前記端子部には、前記端子部側中継部が設けられているバスバーモジュール。
【請求項３５】
請求項２３に記載の通電部品の前記接続部が接続される前記端子部を備えた電池モジュールであって、
前記接続部カバーに覆われた前記接続部と接続される前記端子部には、前記端子部側中継部が設けられている電池モジュール。
【手続補正２】
【補正対象書類名】明細書
【補正対象項目名】０００６
【補正方法】変更
【補正の内容】
【０００６】
そこで、感電対策が要求される端子部および接続部の少なくとも一つへの作業者等の接触を抑制できる、新規な端子間接続構造に用いられる通電部品および通電部品の接続部と接続される端子部を備えたジャンクションボックス，バスバーモジュール，電池モジュールを提供することを目的とする。
【手続補正３】
【補正対象書類名】明細書
【補正対象項目名】０００７
【補正方法】変更
【補正の内容】
【０００７】
本開示の通電部品は、複数の端子部を電気的に接続する通電部品であって、複数の前記端子部にそれぞれ接続状態で締結される複数の接続部を有する通電部材と、前記通電部材を収容する絶縁性のケースと、を含み、複数の前記端子部のうちの感電対策が要求される少なくとも一つが端子部開口窓を有する絶縁性の端子部カバーで覆われており、前記端子部カバーにより覆われた前記端子部に締結される前記接続部には、前記端子部開口窓を挿通して前記端子部に接続される接続部側中継部が設けられており、前記端子部開口窓は、前記接続部側中継部の挿通を許容しつつ作業者の指の挿通を阻止する大きさを有している、通電部品である。
【手続補正４】
【補正対象書類名】明細書
【補正対象項目名】０００８
【補正方法】変更
【補正の内容】
【０００８】
また、本開示の通電部品は、複数の端子部を電気的に接続する通電部品であって、複数の前記端子部にそれぞれ接続状態で締結される複数の接続部を有する通電部材と、前記通電部材を収容する絶縁性のケースと、複数の前記接続部のうちの感電対策が要求される少なくとも一つの前記接続部を覆う絶縁性の接続部カバーと、前記接続部カバーに設けられて前記接続部カバーに覆われた前記接続部を部分的に露出させる接続部開口窓と、を含み、前記接続部カバーに覆われた前記接続部に締結される前記端子部が端子部側中継部を含んでおり、前記端子部側中継部が前記接続部開口窓を挿通して前記接続部に接続されるようになっており、前記接続部開口窓は、前記端子部側中継部の挿通を許容しつつ作業者の指の挿通を阻止する大きさを有している、通電部品である。
【手続補正５】
【補正対象書類名】明細書
【補正対象項目名】０００９
【補正方法】変更
【補正の内容】
【０００９】
本開示によれば、作業者等が感電対策が要求される端子部および接続部の少なくとも一つに接触することを抑制できる端子間接続構造に用いられる通電部品および通電部品の接続部に接続される端子部を備えたジャンクションボックス，バスバーモジュール，電池モジュールを提供することができる。
【手続補正６】
【補正対象書類名】明細書
【補正対象項目名】００１１
【補正方法】変更
【補正の内容】
【００１１】
＜本開示の実施形態の説明＞
最初に、本開示の実施態様を列記して説明する。
本開示の通電部品は、
（１）複数の端子部を電気的に接続する通電部品であって、複数の前記端子部にそれぞれ接続状態で締結される複数の接続部を有する通電部材と、前記通電部材を収容する絶縁性のケースと、を含み、複数の前記端子部のうちの感電対策が要求される少なくとも一つが端子部開口窓を有する絶縁性の端子部カバーで覆われており、前記端子部カバーにより覆われた前記端子部に締結される前記接続部には、前記端子部開口窓を挿通して前記端子部に接続される接続部側中継部が設けられており、前記端子部開口窓は、前記接続部側中継部の挿通を許容しつつ作業者の指の挿通を阻止する大きさを有している、通電部品である。
【手続補正７】
【補正対象書類名】明細書
【補正対象項目名】００１２
【補正方法】変更
【補正の内容】
【００１２】
本開示の通電部品によれば、複数の端子部のうちの感電対策が要求される少なくとも一つが絶縁性の端子部カバーで覆われており、端子部カバーに設けられた端子部開口窓を通じて端子部の少なくとも一つが露出されるようになっている。それゆえ、端子部が活電部となり得る場合等、感電対策が要求される端子部の少なくとも一つを端子部カバーで覆うことにより、作業者等の端子部との接触が抑制できる。また、端子部カバーにより覆われた端子部に締結される接続部には、端子部カバーに設けられた端子部開口窓を挿通し端子部に接続される接続部側中継部が設けられている。それゆえ、たとえ端子部を端子部カバーで覆っても、端子部と接続部との電気的接続を実現することができる。
【手続補正８】
【補正対象書類名】明細書
【補正対象項目名】００１３
【補正方法】変更
【補正の内容】
【００１３】
なお、本開示の通電部品においては、感電対策が望まれる端子部とそれに締結される接続部に対して、それぞれ端子部カバーと接続部側中継部を設ければよいことから、設計自由度の向上が図られ得る。例えば、活電部となり得る端子部が一つの場合は、一つの端子部とそれに締結される接続部に対して端子部カバーと接続部側中継部を設ければよく、コストを抑えつつ感電防止対策を図ることができる。また、例えば、活電部となり得る端子部が二つの端子部の場合には、二つの端子部に端子部カバーを設けると共に二つの接続部に接続部側中継部を設けることで、優れた感電防止対策を実現することができる。また、端子部開口窓は、接続部側中継部の挿通を許容しつつ作業者の指の挿通が阻止される大きさで設けられることが好ましい。
通電部品は、通電部材がバスバーによって構成されるものや、両端に接続部が設けられたワイヤハーネスによって構成されるものが含まれる。通電部品がワイヤハーネスの場合には、端子部カバーによって感電防止対策がされた端子部に接続されるワイヤハーネスの一端側に設けられた接続部が、絶縁性のケースによって覆われて、接続部に設けられた接続部側中継部がケースから外部に突出した構成のものが含まれる。
【手続補正９】
【補正対象書類名】明細書
【補正対象項目名】００３５
【補正方法】変更
【補正の内容】
【００３５】
（２２）前記ケースが、前記通電部材の長手方向中間部分を被覆する絶縁被覆と、前記通電部材の長手方向両端部に設けられて前記絶縁被覆から露出する二つの前記接続部の少なくとも一方を覆う端部ケースを含んで構成されており、前記端部ケースが前記通電部材に対して前記長手方向に変位可能に組み付けられており、前記接続部と前記端子部がボルトとナットを用いて締結されるようになっており、前記接続部に貫設されたボルト挿通孔が前記長手方向での前記通電部材に対する前記端部ケースの変位を許容する変位許容隙間を有して設けられていることが好ましい。
通電部材を収容する絶縁性のケースが、通電部材の長手方向中間部分を被覆する絶縁被覆と少なくとも一方を覆う端部ケースを含んで構成されていることから、よりコンパクト且つ低コストでケースを提供することができる。しかも、端部ケースは、通電部材に対して長手方向に変位可能に組み付けられており、接続部に貫設されたボルト挿通孔も長手方向での通電部材に対する端部ケースの変位を許容する変位許容隙間を有して設けられている。これにより、接続部と端子部をボルトとナットを用いて締結する際に、二つの端子部間距離の公差を、通電部品側の通電部材に対する端部ケースの変位により吸収することができる。
【手続補正１０】
【補正対象書類名】明細書
【補正対象項目名】００３６
【補正方法】変更
【補正の内容】
【００３６】
また、本開示の通電部品は、
（２３）複数の端子部を電気的に接続する通電部品であって、複数の前記端子部にそれぞれ接続状態で締結される複数の接続部を有する通電部材と、前記通電部材を収容する絶縁性のケースと、複数の前記接続部のうちの感電対策が要求される少なくとも一つの前記接続部を覆う絶縁性の接続部カバーと、前記接続部カバーに設けられて前記接続部カバーに覆われた前記接続部を部分的に露出させる接続部開口窓と、を含み、前記接続部カバーに覆われた前記接続部に締結される前記端子部が端子部側中継部を含んでおり、前記端子部側中継部が前記接続部開口窓を挿通して前記接続部に接続されるようになっており、前記接続部開口窓は、前記端子部側中継部の挿通を許容しつつ作業者の指の挿通を阻止する大きさを有している、通電部品である。
少なくとも一つの接続部が接続部カバーで覆われており、接続部カバーに設けられた接続部開口窓を通じて接続部が部分的に露出されるようになっている。それゆえ、接続部が活電部となり得る場合等、感電対策が要求される接続部の少なくとも一つを接続部カバーで覆うことにより、作業者等と感電対策が要求される接続部との接触が抑制できる。また、接続部カバーにより覆われた接続部に締結される端子部には、接続部カバーに設けられた接続部開口窓を挿通して接続部に接続される端子部側中継部が設けられている。それゆえ、たとえ接続部を接続部カバーで覆っても、接続部と端子部との電気的接続を実現することができる。
【手続補正１１】
【補正対象書類名】明細書
【補正対象項目名】００３７
【補正方法】変更
【補正の内容】
【００３７】
本開示のジャンクションボックスは、
（２４）上記（１）から（２２）のいずれかに記載の通電部品の前記接続部が接続される前記端子部を備えたジャンクションボックスであって、感電対策が要求される前記端子部には、前記端子部カバーが設けられており、前記接続部側中継部が設けられた前記通電部材の前記接続部と接続されるようになっているジャンクションボックスである。
本開示のジャンクションボックスは、
（２４’）上記（２３）に記載の通電部品の前記接続部が接続される前記端子部を備えたジャンクションボックスであって、前記接続部カバーに覆われた前記接続部と接続される前記端子部には、前記端子部側中継部が設けられているジャンクションボックスである。本開示によれば、上記のいずれかの通電部品の効果を享受することのできるジャンクションボックスが提供され得る。
【手続補正１２】
【補正対象書類名】明細書
【補正対象項目名】００４４
【補正方法】変更
【補正の内容】
【００４４】
本開示のバスバーモジュールは、
（３１）上記（１）から（２２）のいずれかに記載の通電部品の前記接続部が接続される前記端子部を備えたバスバーモジュールであって、感電対策が要求される前記端子部には、前記端子部カバーが設けられており、前記接続部側中継部が設けられた前記通電部材の前記接続部と接続されるようになっているバスバーモジュールである。
本開示のバスバーモジュールは、
（３１’）上記（２３）に記載の通電部品の前記接続部が接続される前記端子部を備えたバスバーモジュールであって、前記接続部カバーに覆われた前記接続部と接続される前記端子部には、前記端子部側中継部が設けられているバスバーモジュールである。本開示によれば、上記のいずれかの通電部品の効果を享受することのできるバスバーモジュールが提供され得る。
【手続補正１３】
【補正対象書類名】明細書
【補正対象項目名】００４５
【補正方法】変更
【補正の内容】
【００４５】
本開示の電池モジュールは、
（３２）上記（１）から（２２）のいずれかに記載の通電部品の前記接続部が接続される前記端子部を備えた電池モジュールであって、感電対策が要求される前記端子部には、前記端子部カバーが設けられており、前記接続部側中継部が設けられた前記通電部材の前記接続部と接続されるようになっている電池モジュールである。
本開示の電池モジュールは、
（３２’）上記（２３）に記載の通電部品の前記接続部が接続される前記端子部を備えた電池モジュールであって、前記接続部カバーに覆われた前記接続部と接続される前記端子部には、前記端子部側中継部が設けられている電池モジュールである。本開示によれば、上記のいずれかの通電部品の効果を享受することのできる電池モジュールが提供され得る。
【手続補正１４】
【補正対象書類名】明細書
【補正対象項目名】００８３
【補正方法】変更
【補正の内容】
【００８３】
＜変形例１＞
本開示の実施形態１の端子間接続構造１０では、第一電池モジュール１２Ａと第二電池モジュール１２Ｂを接続していたが、これに限定されない。例えば、図８に示す変形例１の端子間接続構造９０のように、電池モジュール１２とジャンクションボックス９２を接続していてもよく、２つの任意の機器の端子部同士を接続することが可能である。
また、通電部品５４は直線状に延びて形成されていたが、例えば、図８に示す変形例１の端子間接続構造９０のように、通電部品９４がＬ字状とされていてもよく、任意の形状が採用可能である。なお、通電部品９４を構成するバスバー９６の接続部６０，６０の２つのボルト挿通孔６２の形状は、図９に示すように、いずれもバスバー９６の長手方向が長軸となる略楕円形状を有しており、その方向が相互に直交している（図９のＸ方向とＹ方向）。例示の実施形態１のように、接続部側中継部６６のボルト挿通孔６８も同様の楕円形状として、ボルト８４の変位を許容する第一スペース：ａ１，ａ２を設け、さらにケース７０においても、ボルト８４と接続部側中継部６６変位を許容する第二スペース：ｂ１，ｂ２，ｂ３を設けることにより、直交する２方向の公差吸収が可能となる。